【手続補正書】
【提出日】平成28年11月18日(2016.11.18)
【手続補正１】
【補正対象書類名】特許請求の範囲
【補正対象項目名】全文
【補正方法】変更
【補正の内容】
【特許請求の範囲】
【請求項１】
サービング基地局のワイヤレス通信の方法であって、
前記サービング基地局と少なくとも1つの干渉基地局とによって使用される所定の位相回転に基づくチャネルフィードバックを、複数のユーザ機器(UE)から受信するステップと、
前記サービング基地局と少なくとも1つの干渉基地局とによって使用される所定の位相回転に基づく前記受信されたチャネルフィードバックに基づいてデータ送信のために前記UEのうちの少なくとも1つのUEを選択するステップと、
少なくとも1つのデータストリームをリソースブロックのセットにマッピングするステップと、
前記サービング基地局によって使用される前記所定の位相回転に基づいて決定された位相回転を用いて、リソースブロックの前記セットを前記少なくとも1つのUEに送信するステップと
を含む、方法。
【請求項２】
第1の所定の疑似ランダム位相回転をリソースブロックの前記セット内のリソース要素の第1のサブセットに適用し、かつ第2の所定の疑似ランダム位相回転をリソースブロックの前記セット内のリソース要素の第2のサブセットに適用するステップをさらに含む、請求項1に記載の方法。
【請求項３】
異なる所定の疑似ランダム位相回転をリソースブロックの前記セットの複数のサブセットの各々に適用するステップをさらに含む、請求項1に記載の方法。
【請求項４】
前記所定の位相回転が、サブフレームのセットにわたって変化する、請求項1に記載の方法。
【請求項５】
前記UEの各々からの前記チャネルフィードバックを閾値と比較するステップであって、前記少なくとも1つのUEの各々は、前記閾値よりも大きな前記チャネルフィードバックに基づいて選択される、ステップをさらに含む、請求項1に記載の方法。
【請求項６】
異なる位相回転を送信アンテナからのリソースブロックの前記セットの各同時送信に適用するステップをさらに含む、請求項1に記載の方法。
【請求項７】
パイロット信号を前記UEに送信するステップであって、前記チャネルフィードバックが前記送信されたパイロット信号にさらに基づく、ステップをさらに含む、請求項1に記載の方法。
【請求項８】
サービング基地局のワイヤレス通信の方法であって、
前記サービング基地局によって使用される所定の位相回転に基づくチャネルフィードバックを、複数のユーザ機器(UE)から受信するステップと、
前記受信されたチャネルフィードバックに基づいてデータ送信のために前記UEのうちの少なくとも1つのUEを選択するステップと、
少なくとも1つのデータストリームをリソースブロックのセットにマッピングするステップと、
前記所定の位相回転に基づいて決定された位相回転を用いて、リソースブロックの前記セットを前記少なくとも1つのUEに送信するステップであって、前記チャネルフィードバックが、前記少なくとも1つのデータストリームをリソースブロックの前記セットにマッピングするために、前記サービング基地局によって使用される所定のマッピングにさらに基づき、前記少なくとも1つのデータストリームがn個のリソースブロックに対応し、かつ前記所定のマッピングに基づいてm個のリソースブロックにマッピングされ、mがnより大きく、リソースブロックの前記セットが前記m個のリソースブロックを含む、ステップと
を含む、方法。
【請求項９】
前記所定のマッピングが、サブフレームのセットにわたって変化する、請求項8に記載の方法。
【請求項１０】
mが2nに等しい、請求項8に記載の方法。
【請求項１１】
前記マッピングされたリソースブロックのセットが、同じシンボル上にn個のリソースブロックの第1のセットとn個のリソースブロックの第2のセットとを含み、リソースブロックの前記第2のセットがリソースブロックの前記第1のセットと異なる疑似ランダム位相回転を有する、請求項10に記載の方法。
【請求項１２】
所定のホッピング方式に基づいて前記m個のリソースブロックを選択するステップをさらに含む、請求項8に記載の方法。
【請求項１３】
サービング基地局のワイヤレス通信の方法であって、
前記サービング基地局によって使用される所定の位相回転に基づくチャネルフィードバックを、複数のユーザ機器(UE)から受信するステップと、
前記受信されたチャネルフィードバックに基づいてデータ送信のために前記UEのうちの少なくとも1つのUEを選択するステップと、
少なくとも1つのデータストリームをリソースブロックのセットにマッピングするステップと、
所定のマッピングに基づいて送信アンテナのセットを選択するステップと、
前記所定の位相回転に基づいて決定された位相回転を用いて前記少なくとも1つのUEにリソースブロックの前記セットを送信するステップであって、リソースブロックの前記セットは、前記所定の位相回転に基づく位相回転を用いて送信アンテナの前記セット内の各送信アンテナから送信される、ステップと
を含む、方法。
【請求項１４】
リソースブロックの前記セットが、第1の所定の疑似ランダム位相回転を用いて第1の送信アンテナから送信され、かつ第2の所定の疑似ランダム位相回転を用いて第2の送信アンテナから送信される、請求項13に記載の方法。
【請求項１５】
リソースブロックの前記セットが、異なる所定の疑似ランダム位相回転を用いて送信アンテナの前記セットの各送信アンテナから送信される、請求項13に記載の方法。
【請求項１６】
前記チャネルフィードバックが、前記送信アンテナを選択するために前記サービング基地局によって使用される前記所定のマッピングにさらに基づく、請求項13に記載の方法。
【請求項１７】
ワイヤレス通信のためのサービング基地局であって、
前記サービング基地局と少なくとも1つの干渉基地局とによって使用される所定の位相回転に基づくチャネルフィードバックを、複数のユーザ機器(UE)から受信するための手段と、
前記サービング基地局と少なくとも1つの干渉基地局とによって使用される所定の位相回転に基づく前記受信されたチャネルフィードバックに基づいてデータ送信のために前記UEのうちの少なくとも1つのUEを選択するための手段と、
少なくとも1つのデータストリームをリソースブロックのセットにマッピングするための手段と、
前記サービング基地局によって使用される前記所定の位相回転に基づいて決定された位相回転を用いて、リソースブロックの前記セットを前記少なくとも1つのUEに送信するための手段と
を含む、サービング基地局。
【請求項１８】
第1の所定の疑似ランダム位相回転をリソースブロックの前記セット内のリソース要素の第1のサブセットに適用し、かつ第2の所定の疑似ランダム位相回転をリソースブロックの前記セット内のリソース要素の第2のサブセットに適用するための手段をさらに含む、請求項17に記載のサービング基地局。
【請求項１９】
異なる所定の疑似ランダム位相回転をリソースブロックの前記セットの複数のサブセットの各々に適用するための手段をさらに含む、請求項17に記載のサービング基地局。
【請求項２０】
前記所定の位相回転が、サブフレームのセットにわたって変化する、請求項17に記載のサービング基地局。
【請求項２１】
前記UEの各々からの前記チャネルフィードバックを閾値と比較するための手段であって、前記少なくとも1つのUEの各々は、前記閾値よりも大きな前記チャネルフィードバックに基づいて選択される、手段をさらに含む、請求項17に記載のサービング基地局。
【請求項２２】
異なる位相回転を送信アンテナからのリソースブロックの前記セットの各同時送信に適用するための手段をさらに含む、請求項17に記載のサービング基地局。
【請求項２３】
パイロット信号を前記UEに送信するための手段であって、前記チャネルフィードバックが前記送信されたパイロット信号にさらに基づく、手段をさらに含む、請求項17に記載のサービング基地局。
【請求項２４】
ワイヤレス通信のためのサービング基地局であって、
前記サービング基地局によって使用される所定の位相回転に基づくチャネルフィードバックを、複数のユーザ機器(UE)から受信するための手段と、
前記受信されたチャネルフィードバックに基づいてデータ送信のために前記UEのうちの少なくとも1つのUEを選択するための手段と、
少なくとも1つのデータストリームをリソースブロックのセットにマッピングするための手段と、
前記所定の位相回転に基づいて決定された位相回転を用いて、リソースブロックの前記セットを前記少なくとも1つのUEに送信するための手段であって、前記チャネルフィードバックが、前記少なくとも1つのデータストリームをリソースブロックの前記セットにマッピングするために、前記サービング基地局によって使用される所定のマッピングにさらに基づき、前記少なくとも1つのデータストリームがn個のリソースブロックに対応し、かつ前記所定のマッピングに基づいてm個のリソースブロックにマッピングされ、mがnより大きく、リソースブロックの前記セットが前記m個のリソースブロックを含む、手段と
を備える、サービング基地局。
【請求項２５】
前記所定のマッピングが、サブフレームのセットにわたって変化する、請求項24に記載のサービング基地局。
【請求項２６】
mが2nに等しい、請求項24に記載のサービング基地局。
【請求項２７】
前記マッピングされたリソースブロックのセットが、同じシンボル上にn個のリソースブロックの第1のセットとn個のリソースブロックの第2のセットとを含み、リソースブロックの前記第2のセットがリソースブロックの前記第1のセットと異なる疑似ランダム位相回転を有する、請求項26に記載のサービング基地局。
【請求項２８】
所定のホッピング方式に基づいて前記m個のリソースブロックを選択するための手段をさらに含む、請求項24に記載のサービング基地局。
【請求項２９】
ワイヤレス通信のためのサービング基地局であって、
前記サービング基地局によって使用される所定の位相回転に基づくチャネルフィードバックを、複数のユーザ機器(UE)から受信するための手段と、
前記受信されたチャネルフィードバックに基づいてデータ送信のために前記UEのうちの少なくとも1つのUEを選択するための手段と、
少なくとも1つのデータストリームをリソースブロックのセットにマッピングするための手段と、
所定のマッピングに基づいて送信アンテナのセットを選択するための手段と、
前記所定の位相回転に基づいて決定された位相回転を用いて前記少なくとも1つのUEにリソースブロックの前記セットを送信するための手段であって、リソースブロックの前記セットは、前記所定の位相回転に基づく位相回転を用いて送信アンテナの前記セット内の各送信アンテナから送信される、手段と
を備える、サービング基地局。
【請求項３０】
リソースブロックの前記セットが、第1の所定の疑似ランダム位相回転を用いて第1の送信アンテナから送信され、第2の所定の疑似ランダム位相回転を用いて第2の送信アンテナから送信される、請求項29に記載のサービング基地局。
【請求項３１】
リソースブロックの前記セットが、異なる所定の疑似ランダム位相回転を用いて送信アンテナの前記セットの各送信アンテナから送信される、請求項29に記載のサービング基地局。
【請求項３２】
前記チャネルフィードバックが、前記送信アンテナを選択するために前記サービング基地局によって使用される前記所定のマッピングにさらに基づく、請求項29に記載のサービング基地局。
【請求項３３】
ワイヤレス通信のためのサービング基地局であって、
メモリと、
前記メモリに結合される少なくとも1つのプロセッサであって、
前記サービング基地局と少なくとも1つの干渉基地局とによって使用される所定の位相回転に基づくチャネルフィードバックを、複数のユーザ機器(UE)から受信し、
前記サービング基地局と少なくとも1つの干渉基地局とによって使用される所定の位相回転に基づく前記受信されたチャネルフィードバックに基づいてデータ送信のために前記UEのうちの少なくとも1つのUEを選択し、
少なくとも1つのデータストリームをリソースブロックのセットにマッピングし、
前記サービング基地局によって使用される前記所定の位相回転に基づいて決定された位相回転を用いて、リソースブロックの前記セットを前記少なくとも1つのUEに送信する
ように構成されるプロセッサと
を備える、サービング基地局。
【請求項３４】
前記少なくとも1つのプロセッサが、第1の所定の疑似ランダム位相回転をリソースブロックの前記セット内のリソース要素の第1のサブセットに適用し、かつ第2の所定の疑似ランダム位相回転をリソースブロックの前記セット内のリソース要素の第2のサブセットに適用するようにさらに構成される、請求項33に記載のサービング基地局。
【請求項３５】
前記少なくとも1つのプロセッサが、異なる所定の疑似ランダム位相回転をリソースブロックの前記セットの複数のサブセットの各々に適用するようにさらに構成される、請求項33に記載のサービング基地局。
【請求項３６】
前記所定の位相回転が、サブフレームのセットにわたって変化する、請求項33に記載のサービング基地局。
【請求項３７】
前記少なくとも1つのプロセッサが、前記UEの各々からの前記チャネルフィードバックを閾値と比較することであって、前記少なくとも1つのUEの各々は、前記閾値よりも大きな前記チャネルフィードバックに基づいて選択される、比較することを行うようにさらに構成される、請求項33に記載のサービング基地局。
【請求項３８】
前記少なくとも1つのプロセッサが、異なる位相回転を送信アンテナからのリソースブロックの前記セットの各同時送信に適用するようにさらに構成される、請求項33に記載のサービング基地局。
【請求項３９】
前記少なくとも1つのプロセッサが、パイロット信号を前記UEに送信することであって、前記チャネルフィードバックが前記送信されたパイロット信号にさらに基づく、送信することを行うようにさらに構成される、請求項33に記載のサービング基地局。
【請求項４０】
ワイヤレス通信のためのサービング基地局であって、
メモリと、
前記メモリに結合される少なくとも1つのプロセッサであって、
前記サービング基地局によって使用される所定の位相回転に基づくチャネルフィードバックを、複数のユーザ機器(UE)から受信することと、
前記受信されたチャネルフィードバックに基づいてデータ送信のために前記UEのうちの少なくとも1つのUEを選択することと、
少なくとも1つのデータストリームをリソースブロックのセットにマッピングすることと、
前記所定の位相回転に基づいて決定された位相回転を用いて、リソースブロックの前記セットを前記少なくとも1つのUEに送信することであって、前記チャネルフィードバックが、前記少なくとも1つのデータストリームをリソースブロックの前記セットにマッピングするために、前記サービング基地局によって使用される所定のマッピングにさらに基づき、前記少なくとも1つのデータストリームがn個のリソースブロックに対応し、かつ前記所定のマッピングに基づいてm個のリソースブロックにマッピングされ、mがnより大きく、リソースブロックの前記セットが前記m個のリソースブロックを含む、送信することと
を行うように構成されるプロセッサと
を備える、サービング基地局。
【請求項４１】
前記所定のマッピングが、サブフレームのセットにわたって変化する、請求項40に記載のサービング基地局。
【請求項４２】
mが2nに等しい、請求項40に記載のサービング基地局。
【請求項４３】
前記マッピングされたリソースブロックのセットが、同じシンボル上にn個のリソースブロックの第1のセットとn個のリソースブロックの第2のセットとを含み、リソースブロックの前記第2のセットがリソースブロックの前記第1のセットと異なる疑似ランダム位相回転を有する、請求項42に記載のサービング基地局。
【請求項４４】
前記少なくとも1つのプロセッサが、所定のホッピング方式に基づいて前記m個のリソースブロックを選択するようにさらに構成される、請求項40に記載のサービング基地局。
【請求項４５】
ワイヤレス通信のためのサービング基地局であって、
メモリと、
前記メモリに結合される少なくとも1つのプロセッサであって、
前記サービング基地局によって使用される所定の位相回転に基づくチャネルフィードバックを、複数のユーザ機器(UE)から受信することと、
前記受信されたチャネルフィードバックに基づいてデータ送信のために前記UEのうちの少なくとも1つのUEを選択することと、
少なくとも1つのデータストリームをリソースブロックのセットにマッピングすることと、
所定のマッピングに基づいて送信アンテナのセットを選択することと、
前記所定の位相回転に基づいて決定された位相回転を用いて前記少なくとも1つのUEにリソースブロックの前記セットを送信することであって、リソースブロックの前記セットは、前記所定の位相回転に基づく位相回転を用いて送信アンテナの前記セット内の各送信アンテナから送信される、送信することと
を行うように構成されるプロセッサと
を備える、サービング基地局。
【請求項４６】
リソースブロックの前記セットが、第1の所定の疑似ランダム位相回転を用いて第1の送信アンテナから送信され、かつ第2の所定の疑似ランダム位相回転を用いて第2の送信アンテナから送信される、請求項45に記載のサービング基地局。
【請求項４７】
リソースブロックの前記セットが、異なる所定の疑似ランダム位相回転を用いて送信アンテナの前記セットの各送信アンテナから送信される、請求項45に記載のサービング基地局。
【請求項４８】
前記チャネルフィードバックが、前記送信アンテナを選択するために前記サービング基地局によって使用される前記所定のマッピングにさらに基づく、請求項45に記載のサービング基地局。
【請求項４９】
サービング基地局に関連する非一時的コンピュータ可読記憶媒体であって、ワイヤレス通信のためのコンピュータ実行可能コードを記憶し、前記コードは、
前記サービング基地局と少なくとも1つの干渉基地局とによって使用される所定の位相回転に基づくチャネルフィードバックを、複数のユーザ機器(UE)から受信することと、
前記サービング基地局と少なくとも1つの干渉基地局とによって使用される所定の位相回転に基づく前記受信されたチャネルフィードバックに基づいてデータ送信のために前記UEのうちの少なくとも1つのUEを選択することと、
少なくとも1つのデータストリームをリソースブロックのセットにマッピングすることと、
前記サービング基地局によって使用される前記所定の位相回転に基づいて決定された位相回転を用いて、リソースブロックの前記セットを前記少なくとも1つのUEに送信することと
のためのものである、非一時的コンピュータ可読記憶媒体。